【事件の表示】
　平成　５年特許願第３１６４３７号「データ記憶装置」拒絶査定不服審判事件〔平成　７年　２月１４日出願公開、特開平　７−　４６４６５、請求項の数（１８）〕について、次のとおり審決する。
【結　論】
　原査定を取り消す。
　本願の発明は、特許すべきものとする。
【理　由】
１．経緯（手続・本願発明・査定）
（１）手続
　本願は、パリ条約による優先権主張（優先日：１９９２年１２月１６日、英国）を伴う平成５年１２月１６日の出願である。
（２）本願発明
　その請求項１から請求項１８までに係る各発明（以下、まとめて本願各発明ともいう）は、本願明細書および図面（平成１５年７月２８日付けおよび平成１６年１２月２８日付けの各手続補正書により補正された明細書および図面）の記載からみて、特許請求の範囲の請求項１から請求項１８までにそれぞれ記載したとおりのものと認める。
（３）査定
　原査定の理由は、概略、下記のとおりである。
　　　　　記（査定の理由）
　本願各発明（請求項１から請求項１６までに係る各発明）は、下記刊行物に記載された各発明及び周知技術に基づいて当業者が容易に発明をすることができたものであるから、特許法第２９条第２項の規定により、特許を受けることができない。
　　　　　記
　刊行物１：特開平４−１２９４８６号公報
　刊行物２：特開昭６０−５７４２８号公報
　刊行物３：特開昭６０−２１１５３６号公報
　刊行物４：特開平２−１９１０１９号
　刊行物５：国際公開第９２／０１９８８号パンフレット（１９９２年）
　
２．当審の判断
（１）本願各発明の主たる構成
　（ａ）査定で引用された上記刊行物のいずれにも、本願各発明が備える下記の構成は記載されていない。また、上記刊行物に記載された事項を組合わせても導かれるものではない。
　　　　　記（本願各発明の主たる構成）
〈請求項１から請求項１５まで、請求項１７〉
　複数のデータ転送手段は、互いに独立して動作して複数のディスク記憶装置との間で非同期でデータ転送を行い、かつ、各転送手段からの指示（バッファ記憶装置への転送のためにデータを利用することができる旨を示す）に応答して識別された組のデータを複数のバッファ記憶装置へ転送させ、バッファ装置からデータハイウエイに連続的に順次転送すること。
〈請求項１６〉
　各ディスク記憶装置は、対応のランダムアクセスバッファにインタフェースされる転送ハイウエイに、データがディスク記憶装置から互いに非同期で転送することができるようにインタフェースされ、かつ、コントローラは指示（転送ハイウエイのデータをランダムアクセスバッファへの転送に利用可能である旨を示す）に応答してアクセスされたデータを同期して各ランダムアクセスバッファに転送し、ランダムアクセスバッファから逐次データハイウエイへ逐次連続的に転送すること。
〈請求項１８〉
　各ディスク記憶装置は、対応のランダムアクセスバッファにインタフェースされる転送ハイウエイに、データがディスク記憶装置から互いに非同期で転送することができるようにインタフェースされ、かつ、コントローラは指示（転送されたデータのランダムアクセスバッファへの転送に利用可能を示す）に応答して同期して転送されたデータをランダムアクセスバッファに転送し、ランダムアクセスバッファから逐次データハイウエイへ逐次連続的に転送すること。
　（ｂ）そして、本願各発明は、上記構成を備えることにより、「たとえばプラッタ上において読出／書込ヘッドの所望のトラックへの移動およびトラックにおける所望のセクタへのプラッタの回転によって引き起こされる遅延の効果が著しく減じられ、それによって装置から高速度で連続的にデータが出力されることを可能にする。」（段落0012）との効果を奏するものである。
　（ｃ）以上によれば、本願各発明は、上記刊行物に記載された各発明に基づいて当業者が容易に発明をすることができたものであるということはできない。
（２）上記刊行物の記載について検討する。
（２−１）上記刊行物には以下の関連する記載がある。
　（ａ）刊行物１
　　ア．第１図について、「１３１〜１３ｎは一時記憶部、１４１〜１４ｎは制御部、１５１〜１５ｎは接続部、１６１〜１６ｎは大容量記憶装置で、夫々同数ｎずつ設けられている。一時記憶部１３１〜１３ｎはマルチプレクサ部１２からのディジタル画像信号を一時記憶して記録時は制御部１４１〜１４ｎへ読み出し、再生時は制御部１４１〜１４ｎからのディジタル画像を書き込んでマルチプレクサ部１２へ読み出す。」（４頁左上欄６行〜14行）
　　イ．「同図（注：第２図）中、第１図と同一構成部分には同一符号を付し、その説明を省略する。第２図において、・・・切換信号生成部２１は、画像入力部１１からの時系列ディジタル画像信号に同期して１フレーム期間未満の予め定めた周期の切換信号を発生する。マルチプレクサ部２２は切換信号生成部２１からの切換信号に基づき、記録時は前記画像入力部１１からの時系列ディジタル画像信号を切換信号の周期単位でｎ個の入出力端へ順次切換出力し、再生時は前記ｎ個の一時記憶部１３１〜１３ｎから該ｎ個の入出力端への各ディジタル画像信号を時系列的に合成して前記画像出力部１７へ出力する。」（４頁右上欄４行〜18行）
　　ウ．「第２発明では第２図のマルチプレクサ部２２が１フレーム未満の予め定められた期間単位で切換わるように構成されている。従って、並列運転台数（ユニット数）を”６”とし、前記切換信号の周期を1/6フレーム期間とすると・・・１フレームの画像は空間的に６分割され・・・１フレーム期間かけて1/6フレーム分のディジタル画像信号を大容量記憶装置１６１〜１６ｎから再生し、またその再生タイミングを1/6フレームずつずらすことにより、・・・1/6フレーム期間ずつ連続的に表示できる。」（５頁右上欄９行〜左下欄７行）
　（ｂ）刊行物２
　　エ．「処理部１６は一時記憶部１７に記憶されたブロックデータの位置情報リストにもとづいて読みだし部１５を制御し、記憶部１１、１２、１３の区画ｂ２３に記憶されているブロックデータを次つぎと読み出す。処理部１６は読みだし部から送られてくるブロックデータを結合し１つのファイルとして読み出す。」（４頁右下欄６行〜13行）
　（ｃ）刊行物３
　　オ．「次いで（５）ＣＣ２０は・・・ＤＭＡを逐次並列に動作開始させる。従って（６）各ＤＫＵはそれぞれ対応するＤＭＡおよびローカルパス２９を介し・・・ＢＲＡＭ２５のデータバッファメモリに読取りデータを転送する。（７）このＤＫＵからのデータ伝送が完了するとＣＣ２０はＢＲＡＭ２５上のデータバッファメモリのデータを・・・ＤＲＡＭ２１上の・・・該当するＳＤＡＴＡに転送し、（８）ＩＯＰＣのデータとして編集してＤＲＡＭ２１上のＤＡＴＡに転送する。」（３頁左上欄17行〜右上欄９行）
　（ｄ）刊行物４
　　カ．「該コントローラは、上記ディスク装置に書込むべきまたは該ディスク装置から読出すべき各情報ワードを構成するビットの同時転送を同期するための手段と、書込みまたは読出しに際し上記ディスクのコントローラを同時に制御するための手段とを備え、上記各コントローラは可能化された場合、各情報ワードに対し該情報ワードの１ビットを処理し、上記主コントローラに接続されるデータ線路を介して該ビットを伝送または受ける」（５頁左上欄４行〜13行）
　　キ．「探索情報が完全にメモリ９に格納された時に、各ディスクコントローラ４は、
情報の転送が可能であることを表示する信号
　　ク．「このようなアーキテクチャにより、大きな量の情報の転送が達成される。例えば、６４ビットのワードを並列に処理することができ、その場合には６４のディスク装置を設けることが必要とされる。」（８頁右上欄５行〜９行）
　　ケ．「各ディスクコントローラはその制御母線Ｃ４の線路上に、その動作状態を表す情報を提供する。これら情報は、例えば、読出すべきワードまたは書込むべきワードが受信されたことまたは伝送し得る状態にあることを表す同期信号である。・・・各コントローラは・・・主コントローラに対し、全てのディスク装置が転送命令を発生し得る状態にあることを、各ディスク装置から到来する制御信号が表示した時にのみ行われるのである。この目的で・・・論理ゲート３１２、３１３を設け、その出力で、全てのディスクコントローラが待機状態にあるかまたは全てのメモリ９が満杯であることを表示する必要がある。」（15頁右下欄１行〜16頁左上欄６行）
　（ｅ）刊行物５
　　コ．「The CPU 60 then issues high level requests to the various disk controller channels 46 to have them retrieve the elements of the data from their locations on the disk drives.・・・When the entire data of the request is in the assigned buffer space 90 , the microprocessor 58 transfers it to the host computer 10 through the FIFO 82 described above.」（21頁31行〜22頁15行、図３）
　なお、上記記載に関連して、特公表５−５０９１８６号公報の記事を以下に併記する。
　「そしてＣＰＵ６０は、種々のディスクコントローラチャネル４６に対して高レベルの要求を与え、それらにディスクドライブ上の場所からデータ要素を検索させる。この要求はまたキャッシュメモリ及びコントロールユニット５４に送られ、それが現在生じている状況を知る。データ集積及びホストコンピュータ１０へのデータ転送は、そこからキャッシュメモリ及びコントロールユニット５４内のマイクロプロセッサ５８の制御下となる。マイクロプロセッサ５８は使用可能なバッファスペース（点線のボックス９０で示されたもの）を指定し、そこで要求のデータを受け取る。そのデータセグメントは、ＣＰＵ６０から最初の与えられた高レベルコマンドの一機能として、マイクロプロセッサ５０の制御下でバッファメモリ４８に非同期的に送られる。
データセグメントが受け取られると、
通知される。
（２−２）
　（ａ）刊行物１から刊行物３までには、いずれにも、各ディスクから非同期でデータを読み出すとの記載はない。
　（ｂ）刊行物４は、探索情報が完全にメモリ９に格納された時に、各ディスクコントローラ４は、「情報の転送が可能であることを表示する信号」を送出するものであり、かかる信号を、一応、本願各発明の「指示」に対応する構成と見ることができる。しかし、刊行物４には、本願各発明の「バッファ記憶装置（又は、ランダムアクセスバッファ）」に相当する構成は存在しない。
　ところで、刊行物１には、「制御部１４１〜１４ｎ、一時記憶部１３１〜１３ｎ及びマルチプレクサ部２２の構成により、1/6フレーム期間（１フレームの画像を空間的に６分割した画像信号）ずつ連続的に転送すること」（記載ア〜ウ）が記載されている。しかし、刊行物４の線路８及びデータ母線Ｄ２は、各情報ワードを構成する１ビットを並列に同時に同期して転送するものであり、上記刊行物４記載の転送形態は刊行物１記載の転送形態と異なるので、上記刊行物１記載の構成を刊行物４のメモリ９の出力側（線路８の側）にそのまま配置することはできない。したがって、本願各発明にいう「バッファ記憶装置（ランダムアクセスバッファ）からデータハイウエイ（逐次データハイウエイ）に連続的に順次転送する」ことが得られるものではない。
　（ｃ）刊行物５は、データセグメントが各ディスクドライブから各ディスクコントローラチャネル４６のバッファメモリ４８に非同期的に送られ、データセグメントが受け取られると、Ｘバス６４を介してマイクロプロセッサ５８に通知され、マイクロプロセッサ５８は、データセグメントをバッファスペース９０内のそれぞれの指定場所に非同期的に転送し、全ての要求データがバッファスペース内に受け取られるとホストコンピュータ１０へそれを転送するものであり、「データセグメントが受け取られたときの通知」及び「バッファスペース９０内のそれぞれの指定場所」を、一応、本願各発明の「指示」及び「バッファ記憶装置（ランダムアクセスバッファ）」に対応する構成と見ることができる。
　しかし、刊行物５のバッファメモリ４８の出力側（Ｘバス６４、バッファスペース９０（経由）、及びＸバス６４）の動作態様は、バッファメモリ４８とバッファスペース９０内のそれぞれの指定場所との間では非同期的に転送し、かつ、全ての要求データがバッファスペース９０内に受け取られてからホストコンピュータ１０へ転送する態様であるから、上記刊行物１記載の構成でもって刊行物５のバッファメモリ４８の出力側（Ｘバス６４、バッファスペース９０（経由）、及びＸバス６４）を直ちに置き換えることはできない。したがって、本願各発明にいう「バッファ記憶装置（ランダムアクセスバッファ）からデータハイウエイ（逐次データハイウエイ）に連続的に順次転送する」ことが得られるものではない。
　
３．むすび
　以上、本願各発明は特許法第２９条第２項の規定により特許を受けることができない、とする原査定の理由によっては、本願を拒絶することはできない。
　また、他に、本願を拒絶すべき理由を発見しない。
　よって、結論のとおり審決する。